(57)【特許請求の範囲】
【請求項１】
複写禁止物の面積情報が記憶された記憶手段と、
原稿を読み取る読取手段と、
前記原稿における画データの面積を算出する面積算出手段と、
前記画データにおける複写禁止物に類似しているか否かの指標となる色の類似度を前記画データの色成分毎に算出する類似度算出手段と、
前記面積算出手段により算出された画データの面積情報が前記記憶手段に記憶された面積情報と一致しない場合には前記画データをそのまま出力させ、前記画データの面積情報が前記記憶手段に記憶された面積情報と一致する場合には前記色成分毎に前記類似度と予め設定された第１基準データ及び第２基準データとを順次比較し、該比較処理においては、一の色成分についての前記類似度と前記第１基準データ及び第２基準データとの比較結果に基づいて、次の色成分について前記類似度と前記第１基準データ及び第２基準データとの比較を行うか、若しくは、次の色成分を含む以後の他の色成分については前記類似度と前記第１基準データ及び第２基準データとを比較することなく前記画データをそのまま出力するかを切り替え、全ての色成分について前記類似度が前記第１基準データより高いと判断した場合には前記画データの出力を禁止し、何れか若しくは全ての色成分について前記類似度が前記第１基準データより低くかつ全ての色成分について前記類似度が前記第２基準データより高いと判断した場合には前記画データの解像度を低下させて出力し、何れか若しくは全ての色成分について前記類似度が前記第２基準データより低いと判断した場合には前記画データの解像度を低下させることなく出力する制御手段と
を備えた画像処理装置。
【発明の詳細な説明】
【０００１】
【発明の属する技術分野】
本発明は、カラーコピー機や複写機能付きカラーファクシミリ装置等に代表される画像処理装置に関し、より詳しくはコピーによる偽造を防止する画像処理装置に関するものである。
【０００２】
【従来の技術】
近年、カラーコピー機や複写機能付きカラーファクシミリ装置を用いて、紙幣や有価証券等の複写禁止物を偽造する事件が発生している。このため、このように複写機能を備えた装置には、複写禁止物に類似しているか否かを判断して、複写禁止物の偽造を防止する機能を装備することが必須である。ここで、複写禁止物の偽造を防止する方法としては、複写禁止物のデータと原稿のデータとをパターン・マッチングやヒストグラムを用いて比較する方法がある。そして、原稿が複写禁止物に類似していると判断した場合には、安全を見込んでコピー動作を禁止、或いは、いわゆる全黒で記録紙に記録している。
【０００３】
【発明が解決しようとする課題】
しかしながら、単に原稿が複写禁止物に類似していると判断した場合に、一律にコピーを禁止する方法では、複写禁止物の原稿ではないが複写禁止物に類似する原稿をコピーする場合も、コピー動作が禁止されることになる。また、いわゆる全黒で記録紙に記録する場合には、記録紙やトナーが無駄に消費されることとなる。
【０００４】
本発明は、このような問題点に着目してなされたものであって、コピー動作に支障を与えることなく、複写禁止物の偽造を防止することが可能な画像処理装置を提供することにある。
【０００６】
【課題を解決するための手段】
上記の目的を達成するために、請求項１に記載の発明では、複写禁止物の面積情報が記憶された記憶手段と、原稿を読み取る読取手段と、前記原稿における画データの面積を算出する面積算出手段と、前記画データにおける複写禁止物に類似しているか否かの指標となる色の類似度を前記画データの色成分毎に算出する類似度算出手段と、前記面積算出手段により算出された画データの面積情報が前記記憶手段に記憶された面積情報と一致しない場合には前記画データをそのまま出力させ、前記画データの面積情報が前記記憶手段に記憶された面積情報と一致する場合には前記色成分毎に前記類似度と予め設定された第１基準データ及び第２基準データとを順次比較し、該比較処理においては、一の色成分についての前記類似度と前記第１基準データ及び第２基準データとの比較結果に基づいて、次の色成分について前記類似度と前記第１基準データ及び第２基準データとの比較を行うか、若しくは、次の色成分を含む以後の他の色成分については前記類似度と前記第１基準データ及び第２基準データとを比較することなく前記画データをそのまま出力するかを切り替え、全ての色成分について前記類似度が前記第１基準データより高いと判断した場合には前記画データの出力を禁止し、何れか若しくは全ての色成分について前記類似度が前記第１基準データより低くかつ全ての色成分について前記類似度が前記第２基準データより高いと判断した場合には前記画データの解像度を低下させて出力し、何れか若しくは全ての色成分について前記類似度が前記第２基準データより低いと判断した場合には前記画データの解像度を低下させることなく出力する制御手段とを備えた。
【０００９】
なお、以下に述べる発明の実施の形態において、特許請求の範囲または課題を解決するための手段に記載の「画像処理装置」は複写機能付きカラーファクシミリ装置１に相当し、同じく「制御手段」はＭＰＵ１１、ＲＯＭ１２及びＲＡＭ１３に相当する。
【００１０】
【発明の実施の形態】
以下に、本発明に係る画像処理装置を複写機能付きカラーファクシミリ装置に具体化した一実施形態を図面を用いて説明する。
【００１１】
図１に示すように、複写機能付きカラーファクシミリ装置１は、ＭＰＵ１１、ＲＯＭ１２、ＲＡＭ１３、読取部１４、記録部１５、操作部１６、表示部１７、画像メモリ１８、コーデック１９、モデム２０及びＮＣＵ２１から構成されるとともに、各部１１〜２１がバス２２を介してそれぞれ接続されている。
【００１２】
ＭＰＵ１１は、複写機能付きカラーファクシミリ装置１を構成する各部を制御する。ＲＯＭ１２は、複写機能付きカラーファクシミリ装置１を制御するためのプログラムを記憶する。また、ＲＯＭ１２は、紙幣等の複写禁止物に関するデータを記憶している。ＲＡＭ１３は、複写機能付きカラーファクシミリ装置１に関する各種情報を一時的に記憶する。
【００１３】
読取部１４は、原稿上の画像データを読み取って、カラーの画データ、すなわちＲＧＢ信号毎に２５６階調の画データを出力する。記録部１５は、電子写真方式のカラープリンタよりなり、受信画データや、コピー動作において読取部１４にて読み取られた原稿の画データを、記録紙上に記録する。
【００１４】
操作部１６は、電話番号やＦＡＸ番号等を入力するためのテンキー（＊，＃キーを含む）１６ａ、短縮番号の登録又は短縮番号から発信するための短縮キー１６ｂ、予め登録したＦＡＸ番号をワンタッチで指定するためのワンタッチキー１６ｃ、原稿の読み取り動作を開始させるためのスタートキー１６ｄ、「通信（ＦＡＸ）」モード又は「コピー」モードに設定するための通信／コピーキー１６ｅ等の各種操作キーを備えている。ＬＣＤ等よりなる表示部１７は、複写機能付きカラーファクシミリ装置１の動作状態等の各種情報の表示を行う。
【００１５】
画像メモリ１８は、受信画データや読取部１４で読み取られた画データを一時的に記憶する。コーデック１９は、読取部１４にて読み取られた画データを送信のためにＭＨ，ＭＲ，ＭＭＲ及びカラー用符号ＪＰＥＧ方式等により符号化（エンコード）する。また、コーデック１９は、受信画データを復号（デコード）する。
【００１６】
モデム２０は、ＩＴＵ−Ｔ勧告Ｔ．３０及びカラー用のＩＴＵ−Ｔ勧告Ｔ．３０付属資料Ｄに従ったファクシミリ伝送制御手順に基づいて、Ｖ．１７，Ｖ．２７ｔｅｒ，Ｖ．２９等に従った送受信データの変調及び復調を行う。ＮＣＵ２１は、電話回線Ｌとの接続を制御するとともに、相手先のＦＡＸ番号に対応したダイヤル信号の送出及び着信を検出するための機能を備えている。
【００１７】
次に、読取部１４から出力されるＲＧＢ信号に基づいて、原稿を構成する色（ＲＧＢ）が、複写禁止物（例えば、紙幣）を構成する色（ＲＧＢ）に類似しているか否かを示す類似度を算出する方法について、図２に示す濃度に対する画素数を示すヒストグラムを用いて説明する。
【００１８】
図２に示すように、読取部１４からのＲＧＢ信号毎に、濃度に対する画素数を示すヒストグラムを作成する（図２に示す破線）。そして、そのＲＧＢ信号毎の濃度に対する画素数を示すヒストグラムと、ＲＯＭ１２に記憶されている複写禁止物のＲＧＢ信号毎における濃度に対する画素数を示すヒストグラム（図２に示す実線）とを比較する。
【００１９】
すなわち、濃度を「ｎ」、ＲＯＭ１２に記憶されている複写禁止物のＲＧＢ信号毎における濃度に対する画素数を「ｍ」、ＲＧＢ信号毎の濃度に対する画素数を「ａ」とすると、濃度ｎ毎の画素数の差の絶対値の総和「Ｔ」は、
【００２０】
【数１】
0003772061.tif 000002
で示すことができる。
【００２１】
ここで、複写禁止物の濃度ｎ毎に対する画素数の総和を「Ｓ」とすると、読み取った原稿が複写禁止物に類似しているか否かを示す類似度「Ｐ」は、
【００２２】
【数２】
0003772061.tif 000003
で示すことができる。
【００２３】
従って、類似度Ｐの値が大きいほど、読み取った原稿を構成する色が、複写禁止物を構成する色に類似していると判断することができる。
次に、複写機能付きカラーファクシミリ装置１におけるコピー時の動作について、図３及び図４に示すフローチャートを用いて説明する。なお、この動作は、ＲＯＭ１２に記憶されたプログラムに基づき、ＭＰＵ１１の制御により実行される。
【００２４】
さて、原稿が読取部１４に載置され、コピー部数がテンキー１６ａから設定されて、スタートキー１６ｄが押下されると、
図３に示すステップＳ１においては、読取部１４で原稿が読み取られる。このとき、ＣＩＥ表色系のＲＧＢ信号毎に画データが出力される。
【００２５】
ステップＳ２においては、読取部１４からＲＧＢ信号毎に出力された画データが、ＲＧＢ信号毎に画像メモリ１８に記憶される。
ステップＳ３においては、読み取った原稿のヒストグラムがＲＧＢ信号毎に作成される。具体的には、図２の破線で示すように、ＲＧＢ信号毎に「０〜２５５」の濃度に対する画素数を示すヒストグラムが作成される。
【００２６】
ステップＳ４においては、原稿のＲＧＢ信号毎における類似度が算出される。具体的には、前記（式１）及び（式２）に基づいて、原稿のＲＧＢ信号毎における類似度が算出される（算出処理）。
【００２７】
ステップＳ５においては、画像メモリ１８に記憶されたＣＩＥ表色系のＲＧＢ信号の画データに基づいて、ＸＹＺ表色系のＸＹＺ信号の画データに変換される。
【００２８】
ステップＳ６においては、前記ステップＳ３の処理と同様に、ＸＹＺ表色系のＹ信号における濃度に対する画素数を示すヒストグラムが作成される。
ステップＳ７においては、前記ステップＳ６において作成されたＹ信号のヒストグラムに基づいて、原稿の面積が算出される。具体的には、Ｙ信号のヒストグラムを構成する画データから読取部１４を構成する天板（白色）に該当する画データを減算することにより、原稿の面積が算出される。ここで、ＸＹＺ表色系におけるＹ信号を用いるのは、物体色の相対的な明暗を示す明度に概ね相関するからである。
【００２９】
図４に示すステップＳ１１においては、前記ステップＳ７の処理において算出された原稿の面積が、複写禁止物（例えば、紙幣）の面積に一致するか否かが判断される。そして、一致する場合は、原稿を構成する色（ＲＧＢ）が複写禁止物を構成する色（ＲＧＢ）に極めて類似するか否かを判断するために、ステップＳ１２に移行する。一方、一致しない場合は、複写禁止物ではないと判断して、通常のコピー動作を行わせるために、ステップＳ２２に移行する。
【００３０】
ステップＳ１２においては、Ｒ信号の類似度が、コピー動作を禁止すべき値ＣＳ（例えば、９５〔％〕）以上であるか否かが判断される。そして、コピー動作を禁止すべき値ＣＳ以上である場合は、ステップＳ１３に移行する。一方、コピー動作を禁止すべき値ＣＳ未満である場合は、ステップＳ１７に移行する。
【００３１】
ステップＳ１３においては、Ｇ信号の類似度が、コピー動作を禁止すべき値ＣＳ（例えば、９５〔％〕）以上であるか否かが判断される。そして、コピー動作を禁止すべき値ＣＳ以上である場合は、ステップＳ１４に移行する。一方、コピー動作を禁止すべき値ＣＳ未満である場合は、ステップＳ１７に移行する。
【００３２】
ステップＳ１４においては、Ｂ信号の類似度が、コピー動作を禁止すべき値ＣＳ（例えば、９５〔％〕）以上であるか否かが判断される。そして、コピー動作を禁止すべき値ＣＳ以上である場合は、ステップＳ１５に移行する。一方、コピー動作を禁止すべき値ＣＳ未満である場合は、ステップＳ１７に移行する。
【００３３】
ステップＳ１５においては、ＲＧＢ信号のすべてにおける類似度が、コピー動作を禁止すべき値ＣＳ以上であるため、記録部１５でのコピー動作が禁止される。
【００３４】
ステップＳ１６においては、コピー動作が禁止された旨を示すメッセージが、表示部１７に表示される（表示処理）。
ステップＳ１７においては、Ｒ信号の類似度が、解像度を低下させてコピー動作をすべき値ＲＤ（例えば、８０〔％〕）以上であるか否かが判断される。そして、解像度を低下させてコピー動作をすべき値ＲＤ以上である場合は、ステップＳ１８に移行する。一方、解像度を低下させてコピー動作をすべき値ＲＤ未満である場合は、ステップＳ２２に移行する。
【００３５】
ステップＳ１８においては、Ｇ信号の類似度が、解像度を低下させてコピー動作をすべき値ＲＤ（例えば、８０〔％〕）以上であるか否かが判断される。そして、解像度を低下させてコピー動作をすべき値ＲＤ以上である場合は、ステップＳ１９に移行する。一方、解像度を低下させてコピー動作をすべき値ＲＤ未満である場合は、ステップＳ２２に移行する。
【００３６】
ステップＳ１９においては、Ｂ信号の類似度が、解像度を低下させてコピー動作をすべき値ＲＤ（例えば、８０〔％〕）以上であるか否かが判断される。そして、解像度を低下させてコピー動作をすべき値ＲＤ以上である場合は、ステップＳ２０に移行する。一方、解像度を低下させてコピー動作をすべき値ＲＤ未満である場合は、ステップＳ２２に移行する。
【００３７】
ステップＳ２０においては、ＲＧＢ信号のすべてにおける類似度が、解像度を低下させてコピー動作をすべき値ＲＤ以上であるため、ＲＧＢ信号の画データの解像度が低下される。そして、その低下された解像度の画データが記録部１５に出力される（出力処理）。具体的には、４００〔ｄｐｉ〕×４００〔ｄｐｉ〕から１００〔ｄｐｉ〕×１００〔ｄｐｉ〕の画データに解像度が低下されて、記録部１５に出力される。なお、本実施形態では、単純間引きで解像度を低下させている。
【００３８】
ステップＳ２１においては、前記ステップＳ２１における低解像度のデータに基づいて、記録部１５でコピー動作が行われる（記録処理）。
ステップＳ２２においては、通常のコピー動作が行われる。具体的には、４００〔ｄｐｉ〕×４００〔ｄｐｉ〕の解像度で、記録部１５でのコピー動作が行われる。
【００３９】
以上、詳述したように本実施形態によれば、次のような作用、効果を得ることができる。
（１）読取部１４からのＲＧＢ信号に基づいて、原稿のＲＧＢ信号毎における濃度に対する画素数を示すヒストグラムが作成される。そのヒストグラムと、ＲＯＭ１２に記憶されている複写禁止物のＲＧＢ信号毎における濃度に対する画素数を示すヒストグラムとに基づいて、原稿のＲＧＢ信号毎における類似度が算出される。そして、原稿の面積が複写禁止物（例えば、紙幣）の面積に一致する場合であって、原稿の類似度が極めて高い場合はコピー動作が禁止され、原稿の類似度が高い場合は解像度が低下されてコピー動作が行われ、原稿の類似度が低い場合は通常のコピー動作が行われる。つまり、原稿の類似度に応じて、いずれかのコピー動作が自動的に選択される。その結果、複写禁止物に類似する原稿をコピーする場合であっても、解像度が低下されてコピー動作が行われる。従って、コピー動作に支障を与えることなく、複写禁止物の偽造を防止することができる。
【００４０】
（２）複写禁止物に類似する原稿をコピーする場合であっても、４００〔ｄｐｉ〕×４００〔ｄｐｉ〕から１００〔ｄｐｉ〕×１００〔ｄｐｉ〕に、解像度が低下されてコピー動作が行われる。このため、複写禁止物に類似する原稿をコピーする場合であっても、少なくともコピー動作が行われる。しかも、１００〔ｄｐｉ〕×１００〔ｄｐｉ〕の解像度であれば、文字等の認識に支障を与えることはない。従って、複写禁止物に類似する原稿をコピーする場合であっても、コピー動作に支障を与えることなく、複写禁止物の偽造を防止することができる。
【００４１】
（３）解像度を低下させる効果が、最も大きい単純間引きが採用されている。このため、万一複写禁止物がコピーされたとしても、解像度が低下された状態でコピー動作が行われる。その結果、コピーされた場合であっても、複写禁止物のコピーであることを容易に判断することができる。従って、複写禁止物がコピーされた場合であっても、何ら問題が発生する余地はない。
【００４２】
（４）原稿の面積が複写禁止物（例えば、紙幣）の面積に一致する場合であって、原稿の類似度が極めて高い場合は、記録部１５でのコピー動作が禁止される。このため、複写禁止物がコピーによって、偽造されることはない。従って、コピー動作に支障を与えることなく、複写禁止物の偽造を防止することができる。
【００４３】
（５）原稿の面積が複写禁止物（例えば、紙幣）の面積に一致する場合であって、原稿の類似度が極めて高い場合は、記録部１５でのコピー動作が禁止されるとともに、コピー動作が禁止された旨を示すメッセージが、表示部１７に表示される。このため、装置が故障等ではなく、原稿の面積や色が、複写禁止物に極めて類似しているために、コピー動作が禁止されたことが分かる。従って、コピーできないことが容易に分かる。
【００４４】
なお、前記実施形態は、次のように変更して具体化することも可能である。
・前記実施形態では、読取部１４で原稿を読み取って、記録部１５で記録紙に記録させる場合を想定したが、読取部１４で原稿を読み取って、その読み取った原稿の画データを送信する場合も考えられる。従って、画データを送信する場合にも、前記実施形態を適用しても良い。なお、このように画データを送信する場合には、原稿を読み取った画質が、超高画質（例えば、４００〔ｄｐｉ〕×４００〔ｄｐｉ〕）や高画質（例えば、２００〔ｄｐｉ〕×２００〔ｄｐｉ〕）の場合には、その画質を低下させる必要がある。このため、図４に示すステップＳ２０，２１の処理を、図５に示すフローチャートに変更する必要がある。
【００４５】
すなわち、図５に示すステップＳ３１においては、画質が超高画質又は高画質に設定されて、原稿が読み取られたか否かが判断される。そして、超高画質又は高画質に設定されて、原稿が読み取られていた場合は、ステップＳ３２に移行する。一方、超高画質又は高画質に設定されないで、原稿が読み取られた場合、つまり標準（例えば、１００〔ｄｐｉ〕×１００〔ｄｐｉ〕）に設定されて、原稿が読み取られていた場合は、ステップＳ３３に移行する。
【００４６】
ステップＳ３２においては、ＲＧＢ信号の画データの解像度が低下される。そして、その低下された解像度の画データがコーデック１９に出力される（出力処理）。具体的には、４００〔ｄｐｉ〕×４００〔ｄｐｉ〕又は２００〔ｄｐｉ〕×２００〔ｄｐｉ〕から１００〔ｄｐｉ〕×１００〔ｄｐｉ〕の画データに、解像度が低下されて、コーデック１９に出力される。
【００４７】
ステップＳ３３においては、画データがコーデック１９でＪＰＥＧ等に従って符号化される。
ステップＳ３４においては、符号化された画データがモデム２０で変調され、ＮＣＵ２１を介して、送信先に送信される。なお、原稿の画データを送信する場合は、図４に示すステップＳ１５において、送信が禁止される。また、図４に示すステップＳ２２においては、通常の送信が行われる。加えて、送信に先だって、送信先のＦＡＸ番号等が予め入力されていることは言うまでもない。
【００４８】
・前記実施形態では、原稿の類似度が高い場合には、解像度を低下させてコピー動作を行わせたが、これに代えて、特徴色を変更する方法（例えば赤色を黒色に変更）、特徴色を減色する方法（例えば赤色の減色）、階調を低下する方法（例えば２５６階調から６４階調に低下）や、これら解像度を低下する方法、特徴色を変更する方法、特徴色を減色する方法、又は階調を低下する方法を、適宜組み合わせた方法等を用いても良い。
【００４９】
・読取部１４で読み取った画データを、記録媒体（例えば、ＦＤ、ＣＤ）に記録する場合にも、前記実施形態を適用しても良い。
・さらに、複写禁止物であるか否かを判断するための機能を備えていない装置（例えば、カラースキャナ、カラーファクシミリ装置）から転送或いは受信した画データを記録する場合にも、前記実施形態を適用しても良い。
【００５０】
・前記実施形態を、カラーコピー機に適用しても良い。
さらに、上記実施形態より把握される請求項以外の技術的思想について、以下にそれらの効果と共に記載する。
【００５１】
〔１〕画データを記録する記録手段と、画データが複写禁止物に類似しているか否かを示す類似度を算出し、画データの類似度が高い場合は、解像度を低下させた画データを記録手段で記録紙に記録させる制御手段とを備えた画像処理装置。なお、記録手段は、前記実施形態における記録部１５に相当する。このように構成すれば、複写禁止物に類似する画データを記録する場合であっても、コピー動作に支障を与えることなく、複写禁止物の偽造を防止することができる。
【００５２】
〔２〕画データが複写禁止物に類似しているか否かを示す類似度を算出する算出処理と、画データの類似度が高い場合は、解像度を低下させた画データを記録する記録処理とからなる画像処理方法。このように構成すれば、複写禁止物に類似する画データを記録する場合であっても、コピー動作に支障を与えることなく、複写禁止物の偽造を防止することができる。
【００５３】
〔３〕画データが複写禁止物に類似しているか否かを示す類似度を算出する算出処理と、画データの類似度が高い場合は、解像度を低下させた画データを記録する記録処理とを、コンピュータで実行させるためのプログラムを記録した記録媒体。このように構成すれば、複写禁止物に類似する画データを記録する場合であっても、コピー動作に支障を与えることなく、複写禁止物の偽造を防止することができる。
【００５４】
〔４〕制御手段は、画データの類似度が極めて高い場合は、画データの出力を禁止する画像処理装置。このように構成すれば、複写禁止物の偽造を防止することができる。
【００５５】
〔５〕出力処理は、画データの類似度が極めて高い場合は、画データの出力を禁止する画像処理方法。このように構成すれば、複写禁止物の偽造を防止することができる。
【００５６】
〔６〕画データの類似度が極めて高い場合は、画データの出力を禁止する出力処理を、コンピュータで実行させるためのプログラムを記録した記録媒体。このように構成すれば、複写禁止物の偽造を防止することができる。
【００５７】
〔７〕前記〔１〕に記載の画像処理装置において、制御手段は、画データの類似度が極めて高い場合は、記録手段における画データの記録を禁止する画像処理装置。このように構成すれば、複写禁止物の偽造を防止することができる。
【００５８】
〔８〕前記〔２〕に記載の画像処理方法において、記録処理は、画データの類似度が極めて高い場合は、画データの記録を禁止する画像処理方法。このように構成すれば、複写禁止物の偽造を防止することができる。
【００５９】
〔９〕前記〔３〕に記載の記録媒体において、画データの類似度が極めて高い場合は、画データの記録を禁止する記録処理を、コンピュータで実行させるためのプログラムを記録した記録媒体。このように構成すれば、複写禁止物の偽造を防止することができる。
【００６０】
〔１０〕前記〔７〕に記載の画像処理装置において、メッセージを表示する表示手段を備え、制御手段は、画データの類似度が極めて高い場合は、記録手段における画データの記録を禁止するとともに、画データの記録を禁止した旨を示すメッセージを表示手段に表示する画像処理装置。なお、表示手段は、前記実施形態における表示部１７に相当する。このように構成すれば、コピーができないことが容易に分かる。
【００６１】
〔１１〕前記〔８〕に記載の画像処理方法において、画データの記録を禁止した旨を表示する表示処理を含む画像処理方法。このように構成すれば、コピーできないことが容易に分かる。
【００６２】
〔１２〕前記〔９〕に記載の記録媒体において、画データの記録を禁止した旨を表示する表示処理を、コンピュータで実行させるためのプログラムを記録した記録媒体。このように構成すれば、コピーできないことが容易に分かる。
【００６３】
【発明の効果】
本発明は、以上のように構成されているため、次のような効果を奏する。
請求項１に記載の発明によれば、コピー動作に支障を与えることなく、複写禁止物の偽造を防止することができる。
【図面の簡単な説明】
【図１】複写機能付きカラーファクシミリ装置の構成を示すブロック図。
【図２】濃度に対する画素数を示すヒストグラム。
【図３】コピー時の動作を示すフローチャート。
【図４】コピー時の動作を示すフローチャート。
【図５】別の実施形態における送信時の動作を示すフローチャート。
【符号の説明】
１…画像処理装置としての複写機能付きカラーファクシミリ装置、１１…制御手段を構成するＭＰＵ、１２…制御手段を構成するＲＯＭ、１３…制御手段を構成するＲＡＭ。
【図１】
0003772061.tif 000004
【図２】
0003772061.tif 000005
【図３】
0003772061.tif 000006
【図４】
0003772061.tif 000007
【図５】
0003772061.tif 000008